(57)【要約】【課題】配線挿通作業を良好にでき、配線収容空間に収納したテーブルタップへのコンセントの抜き差し等の作業性を良好にできるデスク装置を提供する。【解決手段】デスク装置１は、第１、第２の天板１１，１２間の配線挿通空間２３に配線収容体１６が配置されている。配線収容体は、上部天板３１の下方に配線支持部材３５が配置されている。上部天板は、上下位置変更手段３８により下降位置と上昇位置とに配置可能である。上部天板を下降位置に配置することにより、上部天板を第１、第２の天板に対して互いの上面を面一位置に配置する。また、上部天板を上昇位置に配置することにより、配線支持部材へのアクセス空間を形成する。【選択図】図３
2019080609.tif 000002
【特許請求の範囲】
【請求項１】
床面上に左右方向へ離間して立設された一対の支持体と、
前記一対の支持体の上部間に架設されるとともに、前後方向へ離間して配置されることにより前後方向の中央に配線挿通空間を形成する一対の天板と、
前記一対の天板間の前記配線挿通空間に配置される配線収容体と、を備え、
前記配線収容体は、
平板状の上部天板と、
前記上部天板の下方に配置された配線支持部材と、
前記配線支持部材および前記上部天板を上下方向に移動可能に支持し、前記上部天板が前記一対の天板に対して互いの上面が面一位置に配置される下降位置と、前記上部天板と前記天板との間に前記配線支持部材へのアクセス空間が形成される上昇位置と、に前記上部天板を配置可能な上下位置変更手段と、を備えることを特徴とするデスク装置。
【請求項２】
前記上部天板が前記下降位置に配置された状態において、前記上部天板と前記天板との間に間隙部を形成可能としたことを特徴とする請求項１に記載のデスク装置。
【請求項３】
前記上部天板および前記天板の一方に取り付けられ、前記下降位置に配置された状態において、前記間隙部を閉塞する弾性変形可能な軟質部材を備えたことを特徴とする請求項２に記載のデスク装置。
【請求項４】
前記配線収容体が前記上昇位置に配置された状態において、前記配線支持部材の上面が前記天板の上面と面一をなす位置に配置されることを特徴とする請求項１〜３のいずれか１項に記載のデスク装置。
【発明の詳細な説明】
【技術分野】
【０００１】
本発明は、デスク装置に関する。
【背景技術】
【０００２】
オフィスや公共施設等の執務空間においては、執務者が効率的に執務を行う什器として天板付き什器が一般的に採用される。天板付き什器には、執務を行うために平面に形成された天板が設けられている。天板付き什器として、床面上に互いに離間して支持体が立設され、立設された支持体間に平板上の天板が架設されることにより、簡易、かつ安定的に構成されたデスク装置が多く見られる。
【０００３】
しかし、このデスク装置を、例えば複数個隣接させて使用する場合には、それぞれのデスク装置が個別に支持体を備えることになり、そのことがコストを抑える妨げになる。この観点から、床面上に支持体に立設すると共に、中間に位置する支持体を共用するように、端部に配置された支持体と中間に位置する支持体の間、もしくは中間に位置する支持体同士の間に天板を架設したものが知られている。立設された支持体間に天板を架設することにより、左右方向に隣接する天板を一つの支持体で支えることが可能になり、支持体の個数を減らすことができる。
【０００４】
また、デスク装置として、例えば特許文献１、２に開示されているものが知られている。特許文献１、２のデスク装置は、左右方向に交差する前後方向に離間させて一対の天板が支持体間に架設されたものが採用されている。一対の天板を前後方向に離間させて架設することにより、一対の天板間に配線挿通空間を形成し、配線挿通空間の下方に配線収容空間を確保するように構成されている。
【０００５】
このデスク装置によれば、デスク装置を複数人で共用できる。よって、ファシリティコストを低減することができると共に、天板上で使用する電子機器の配線等を配線挿通空間を介して配線収容空間内に収納することができる。これにより、デスク装置の使用時における体裁を良好なものとすることができる。
【先行技術文献】
【特許文献】
【０００６】
【特許文献１】特許第５０６３９８７号公報
【特許文献２】特許第４８５５９００号公報
【発明の概要】
【発明が解決しようとする課題】
【０００７】
特許文献１、２のデスク装置の場合、一対の天板間に配線挿通空間が形成されている。よって、執務者は、配線収容空間内に収納された配線へのアクセスを天板越しに行うことになる。このため、配線挿通作業や配線収容空間内に収納したテーブルタップへのコンセントの抜き差し等の作業性の観点から改良の余地が残されていた。
【０００８】
本発明は、このような従来の課題に鑑みてなされたものであり、配線挿通作業を良好におこなうことができ、配線収容空間に収納したテーブルタップへのコンセントの抜き差し等の作業性を良好にできるデスク装置を提供することを目的とする。
【課題を解決するための手段】
【０００９】
本発明のデスク装置は、床面上に左右方向へ離間して立設された一対の支持体と、前記一対の支持体の上部間に架設されるとともに、前後方向へ離間して配置されることにより前後方向の中央に配線挿通空間を形成する一対の天板と、前記一対の天板間の前記配線挿通空間に配置される配線収容体と、を備え、前記配線収容体は、平板状の上部天板と、前記上部天板の下方に配置された配線支持部材と、前記配線支持部材および前記上部天板を上下方向に移動可能に支持し、前記上部天板が前記一対の天板に対して互いの上面が面一位置に配置される下降位置と、前記上部天板と前記天板との間に前記配線支持部材へのアクセス空間が形成される上昇位置と、に前記上部天板を配置可能な上下位置変更手段と、を備えることを特徴とする。
【００１０】
このように、デスク装置の天板間の配線挿通空間に配線収容体を配設し、配線収容体の上部天板を上下位置変更手段で上下位置変更可能とした。よって、上部天板を下降位置に配置することにより、上部天板をデスク装置の天板に対して互いの上面を面一位置に配置できる。これにより、一対の天板と上部天板との全域を、大きな天板として使用することができる。また、上部天板を天板に対して互いの上面を面一位置に配置することにより、デスク装置の使用時における体裁を良好なものとすることができる。
一方、上部天板を上昇位置に配置することにより、上部天板と天板との間に、配線収容体の配線支持部材へのアクセス空間を形成できる。これにより、配線挿通作業を良好におこなうことができ、さらに、配線支持部材に配置したテーブルタップ（電源タップ）へのコンセントの抜き差しや、ＬＡＮ（Local Area Network）ポートへのＬＡＮケーブルの抜き差し等の作業性を良好にできる。
【００１１】
本発明では、前記上部天板が前記下降位置に配置された状態において、前記上部天板と前記天板との間に間隙部を形成可能とすることが好ましい。
これにより、配線支持部材のテーブルタップに接続したコンセントのケーブルや、ＬＡＮポートに接続したＬＡＮケーブルのケーブルを、上部天板と天板との間の間隙部を経て、天板の上面側に引き出すことができる。
また、上部天板を下降位置に配置する際に、上部天板と天板との間に執務者の指がおかれることが考えられる。この場合においても、上部天板と天板との間に間隙部を形成することにより、上部天板と天板との間に配置された執務者の指を間隙部に逃がして保護できる。これにより、デスク装置を使用する際の利便性を高めることができる。
【００１２】
本発明では、前記上部天板および前記天板の一方に取り付けられ、前記下降位置に配置された状態において、前記間隙部を閉塞する弾性変形可能な軟質部材を備えることが好ましい。
これにより、上部天板を下降位置に配置した際に、上部天板と天板との間を軟質部材で塞いだ状態において、軟質部材を弾性変形させて上部天板と天板との間に間隙部を確保できる。
また、上部天板と天板との間を軟質部材で塞ぐことにより、上部天板と天板との間の間隙部から、天板上の物品が配線挿通空間に落下することを防止できる。
さらに、軟質部材を弾性変形させることにより、上部天板と天板との間の間隙部を形成できる。配線支持部材のテーブルタップに接続したコンセントのケーブルや、ＬＡＮポートに接続したＬＡＮケーブルのケーブルを、上部天板と天板との間の間隙部を経て、天板の上面側に引き出すことができる。
加えて、上部天板を下降位置に配置する際に、上部天板と天板との間に配置された執務者の指を、軟質部材を弾性変形させて保護できる。これにより、デスク装置を使用する際の利便性を高めることができる。
【００１３】
本発明では、前記配線収容体が前記上昇位置に配置された状態において、前記配線支持部材の上面が前記天板の上面と面一をなす位置に配置されることが好ましい。
よって、配線支持部材に配置したテーブルタップやＬＡＮポート等を、執務者に一層近い位置に配置できる。これにより、配線挿通作業を一層良好におこなうことができ、さらに、配線支持部材に配置したテーブルタップへのコンセントの抜き差しや、ＬＡＮポートへのＬＡＮケーブルの抜き差し等の作業性を一層良好にできる。
【発明の効果】
【００１４】
本発明のデスク装置によれば、配線収容体の上部天板を上下位置変更手段で上下位置変更可能とした。これにより、配線挿通作業を良好におこなうことができ、さらに配線収容空間に収納したテーブルタップへのコンセントの抜き差し等の作業性を良好なものとすることができるデスク装置に適用できる。
【図面の簡単な説明】
【００１５】
【図１】本発明の一実施形態に係るデスク装置を示す斜視図である。
【図２】本発明の一実施形態に係るデスク装置を示す正面図である。
【図３】本発明の一実施形態に係るデスク装置を示す分解斜視図である。
【図４】本発明の一実施形態に係るデスク装置の上部天板を上昇位置に配置した状態を示す側面図である。
【図５】本発明の一実施形態に係るデスク装置の図３のＶ部を拡大した状態を示す分解斜視図である。
【図６】本発明の一実施形態に係るデスク装置の上部天板を下降位置に配置した状態を示す側面図である。
【発明を実施するための形態】
【００１６】
次に、本発明の実施形態を図面に基づいて説明する。なお、実施形態において、同一、類似の構成については同じ符号を付して重複する説明を省略する場合がある。また、図１において、手前の天板（第１の天板）１１の執務者１０側を後方向、執務者１０の正面から離れる側を前方向（ＦＲ方向）、執務者１０の左側を左方向（ＬＨ方向）、執務者１０の右側を右方向として説明する。さらに、第１の天板１１から上方へ向かう方向を上方向（ＵＰ方向）として説明する。
【００１７】
本発明の一実施形態によるデスク装置１を図１〜図６に基づいて説明する。
図１は、本発明の一実施形態係るデスク装置１を示す斜視図である。図２は、デスク装置１を示す側面図である。図１、図２に示すように、デスク装置１は、執務室の床面Ｆに設置されている。デスク装置１は、複数の支持体３〜５と、複数のビーム７と、複数の天板１１〜１４と、左右側の配線収容体１６とを備えている。
【００１８】
複数の支持体３〜５として、左側板３と、右側板４と、中央脚部５とを備えている。左側板３、右側板４および中央脚部５は、床面Ｆ上に左右方向へ離間して立設されている。左側板３、右側板４および中央脚部５に複数の天板１１〜１４が支持されている。
左側板３は、側面視矩形状に形成され、デスク装置１の左側に設けられている。左側板３の上部３ａに、複数の天板１１〜１４のうち前後一対の左側天板１１，１２の左端部１１ａ，１２ａが支えられている。
右側板４は、左側板３と同様に側面視矩形状に形成され、デスク装置１の右側に立設されている。右側板４の上部４ａに、複数の天板１１〜１４のうち前後一対の右側天板１３，１４の右端部１３ａ，１４ａが支えられている。
【００１９】
中央脚部５は、側面視Ｔ字状に形成され、デスク装置１の左右方向の中央に立設されている。中央脚部５の上部５ａのうち左側部に、前後一対の左側天板１１，１２の右端部１１ｂ，１２ｂが支えられている。中央脚部５の上部５ａのうち右側部に、前後一対の右側天板１３，１４の左端部１３ｂ，１４ｂが支えられている。
【００２０】
図３は、デスク装置１を示す分解斜視図である。図３に示すように、左側板３の上部３ａおよび中央脚部５の上部５ａが、複数のビーム７のうち、デスク装置１の左側に配置された一対のビーム７で連結されている。左側に配置された一対のビーム７は、前後方向に所定間隔Ｌ１をおいて平行に配置されている。一対のビーム７間に複数の連結部２１が左右方向に間隔をおいて配置されている。
また、左側板３の上部３ａのうち前後方向の中央部に装飾プレート２２が取り付けられている。中央脚部５の上部５ａのうち前後方向の中央部に装飾プレート２２が取り付けられている。装飾プレート２２は、前後一対の左側天板１１，１２と互いの上面が面一に配置されている。
【００２１】
図２に示すように、右側板４の上部４ａおよび中央脚部５の上部５ａが、複数のビーム７のうち、デスク装置１の右側に配置された一対のビーム７で連結されている。右側に配置された一対のビーム７は、左側に配置された一対のビーム７と同様に、前後方向に所定間隔Ｌ１（図示せず）をおいて平行に配置されている。一対のビーム７間に複数の連結部２１が左右方向に間隔をおいて配置されている。
すなわち、左側板３、右側板４および中央脚部５は、複数のビーム７で一体に連結されている。
【００２２】
図１、図２に戻って、左側板３、右側板４および中央脚部５に複数の天板１１〜１４が架設されている。複数の天板１１〜１４は、デスク装置１の左側に配置される前後一対の左側天板１１，１２と、デスク装置１の右側に配置される前後一対の右側天板１３，１４とを備えている。
以下、前後一対の左側天板１１，１２を第１、第２の天板１１，１２として説明し、前後一対の右側天板１３，１４を第３、第４の天板１３，１４として説明する。また、第１、第２の天板１１，１２は、第３、第４の天板１３，１４と左右対称に構成されており、第１、第２の天板１１，１２について詳しく説明して、第３、第４の天板１３，１４の詳しい説明を省略する。
【００２３】
第１、第２の天板１１，１２は、デスク装置１の左側に、前後方向に所定間隔Ｌ１をおいて離間された状態で配置されている。第３、第４の天板１３，１４は、デスク装置１の右側に、前後方向に所定間隔Ｌ１をおいて離間された状態で配置されている。第１、第２の天板１１，１２および第３、第４の天板１３，１４は、一対のビーム７と同様に、前後方向に所定間隔Ｌ１をおいて平行に配置されている。
【００２４】
第１、第２の天板１１，１２は、左側板３の上部３ａと中央脚部５の上部５ａとの間に架設されている。具体的には、第１の天板１１は、左端部１１ａが左側板３の上部３ａに載置され、右端部１１ｂが中央脚部５の上部５ａに載置されている。さらに、第１の天板１１は、前端部１１ｃがビーム７の上部７ａ（図３参照）に載置されている。
【００２５】
第２の天板１２は、第１の天板１１に対して前方へ所定間隔Ｌ１をおいて配置されている。第２の天板１２は、左側板３の上部３ａと中央脚部５の上部５ａとの間に架設されている。具体的には、第２の天板１２は、第１の天板１１と同様に、左側板３の上部３ａ、中央脚部５の上部５ａおよびビーム７の上部７ａに載置されている。さらに、第２の天板１２は、後端部１２ｃがビーム７の上部７ａ（図３参照）に載置されている。
第１、第２の天板１１，１２が前後方向に所定間隔Ｌ１おいて配置されることにより、第１、第２の天板１１，１２の前後方向の中央に配線挿通空間２３（図６も参照）が形成されている。配線挿通空間２３は平面視矩形状に形成されている。
【００２６】
また、第３の天板１３は、右側板４の上部４ａと中央脚部５の上部５ａとの間に架設されている。具体的には、第３の天板１３は、右端部１３ａが右側板４の上部４ａに載置され、左端部１３ｂが中央脚部５の上部５ａに載置されている。さらに、第３の天板１３は、後端部１３ｃがビーム７の上部７ａに載置されている。
【００２７】
第４の天板１４は、第３の天板１３に対して前方へ所定間隔Ｌ１をおいて配置されている。第４の天板１４は、右側板４の上部４ａと中央脚部５の上部５ａとの間に架設されている。具体的には、第４の天板１４は、第３の天板１３と同様に、右側板４の上部４ａ、中央脚部５の上部５ａおよびビーム７の上部７ａに載置されている。
第３、第４の天板１３，１４が前後方向に所定間隔Ｌ１おいて配置されることにより、第３、第４の天板１３，１４の前後方向の中央に配線挿通空間２３（図示せず）が形成されている。配線挿通空間２３は平面視矩形状に形成されている。
【００２８】
このように、第１、第２の天板１１，１２の前後方向の中央に配線挿通空間２３が形成され、第３、第４の天板１３，１４の前後方向の中央に配線挿通空間２３が形成されている。また、左側の配線挿通空間２３に左側の配線収容体１６が配置されている。さらに、右側の配線挿通空間２３に右側の配線収容体１６が配置されている。
左側の配線収容体１６は、右側の配線収容体１６と同様の構成であり、以下、左側の配線収容体１６を配線収容体１６として詳しく説明して、右側の配線収容体１６の詳しい説明を省略する。
【００２９】
図４は、配線収容体１６の上部天板３１を上昇位置Ｐ２に配置した状態を示す側面図である。図３、図４に示すように、配線収容体１６は、上部天板３１と、補強プレート３２と、前後の軟質部材３３，３４と、左右一対の配線支持部材（配線支持部材）３５，３６と、上下位置変更手段３８とを備えている。
上部天板３１は、平板状の上板４１と、凹状に折り曲げられた下板４２とが上下方向に重ね合されることにより、矩形の中空状に形成されている。上部天板３１は、前辺部３１ａと、後辺部３１ｂと、左端部３１ｃと、右端部３１ｄとを有する。前辺部３１ａ、後辺部３１ｂ、左端部３１ｃ、および右端部３１ｄで上部天板３１が、矩形の平板状に形成されている。さらに、上部天板３１は、左側の配線挿通空間２３を上方から閉塞可能に形成されている。
【００３０】
上部天板３１の裏面に補強プレート３２が取り付けられている。補強プレート３２は、左端部３２ａの取付片４３と、右端部３２ｂの取付片４４とが上部天板３１の下板４２に下方から取り付けられている。上部天板３１は、補強プレート３２により補強されている。
上部天板３１の前辺部（縁部）３１ａには、前後の軟質部材３３，３４のうち前軟質部材３３が取り付けられている。上部天板３１の後辺部（縁部）３１ｂには、前後の軟質部材３３，３４のうち後軟質部材３４が取り付けられている。前軟質部材３３および後軟質部材３４は、例えば樹脂材やゴム材等で弾性変形可能に形成されている。
【００３１】
上部天板３１の下方に左右一対の配線支持部材３５，３６が配置されている。具体的には、左右一対の配線支持部材３５，３６のうち、左側の配線支持部材３５が上部天板３１の下方左側に取り付けられ、右側の配線支持部材３６が上部天板３１の下方右側に取り付けられている。
左右一対の配線支持部材３５，３６は、それぞれ左右対称の部材であり、以下、左側の配線支持部材３５を配線支持部材３５として詳しく説明し、右側の配線支持部材３６の詳しい説明を省略する。
【００３２】
図５は、図３のＶ部の配線支持部材３５を拡大した状態を示す分解斜視図である。図３、図５に示すように、配線支持部材３５は、配線挿通空間２３に配置可能に形成され、配線トレー４５と、左側の支持側部４６と、右側の支持側部４７とを有する。配線トレー４５は、平面視矩形の平板状に形成され、前縁から上向きに折り曲げられた前折曲部４５ａと、後縁から上向きに折り曲げられた後折曲部４５ｂとを有する。前折曲部４５ａおよび後折曲部４５ｂで配線トレー４５が補強されている。
【００３３】
配線トレー４５の左縁部から左側の支持側部４６が立ち上げられている。左側の支持側部４６は、上端部に一対の左取付片４６ａを有する。一対の左取付片４６ａは、補強プレート３２の左端部３２ａの取付片４３を介して上部天板３１の下板４２に取り付けられている。
また、配線トレー４５の右縁部から右側の支持側部４７が立ち上げられている。右側の支持側部４７は、上端部に一対の右取付片４７ａを有する。一対の右取付片４７ａは、上部天板３１の下板４２に取り付けられている。
よって、配線支持部材３５が上部天板３１に取り付けられ、上部天板３１の下方に間隔Ｌ２（図４も参照）をおいて配線トレー４５が配置されている。
【００３４】
図１に示すように、配線トレー４５の上面４５ｃにテーブルタップ（電源タップ）５１やＬＡＮポート（Local Area Network）（図示せず）等が載置されている。テーブルタップ５１やＬＡＮポート等は、配線トレー４５の上面４５ｃに磁着されている。よって、テーブルタップ５１やＬＡＮポート等を配線トレー４５の上面４５ｃに安定的に支持することができる。
これにより、例えば、パーソナルコンピュータ５２のコンセント５３によるテーブルタップ５１の差込口への差込、抜取作業を容易にできる。これにより、テーブルタップ５１の使用時の使い勝手を良好なものとすることができる。
【００３５】
また、ＬＡＮポートの差込口へのＬＡＮケーブルの差込、抜取作業を容易にでき、ＬＡＮポートの使用時の使い勝手を良好なものとすることができる。
さらに、配線トレー４５の上面４５ｃにテーブルタップ５１（図１参照）やＬＡＮポートを磁着により支持することにより、デスク装置１に市販のテーブルタップ５１やＬＡＮポートを採用することが可能になる。よって、デスク装置１に専用のテーブルタップやＬＡＮポートを備える必要がなく、デスク装置１のコストを抑えることができる。
【００３６】
図３、図５に戻って、上部天板３１は補強プレート３２を介して上下位置変更手段３８に支持されている。上下位置変更手段３８は、左右側のベース６１，６２と、左右側の脚部６３，６４とを備えている。
左側のベース６１は、左側板３の下部内側に取り付けられている。左側のベース６１から左側の脚部６３が上方に立ち上げられている。左側の脚部６３は、横断面矩形に形成された多重管からなる支柱である。多重管とは、複数の管６３ａ，６３ｂ，６３ｃを入れ子にして構成された管をいう。複数の管６３ａ，６３ｂ，６３ｃは、横断面の形状が矩形である。なお、複数の管６３ａ，６３ｂ，６３ｃの横断面の形状は、矩形の他に、円形、楕円形、多角形等、様々な形状が可能である。
複数の管６３ａ，６３ｂ，６３ｃは、操作入力部（否図示）に入力された入力信号に基づき動作する脚部６３内に配設された駆動手段によって、電動で上下に伸縮するように構成されている。
【００３７】
右側のベース６２は、中央脚部５の下部内側に取り付けられている。右側のベース６２から右側の脚部６４が上方に立ち上げられている。右側の脚部６４は、左側の脚部６３と同様に、横断面矩形に形成された多重管からなる支柱である。複数の管６４ａ，６４ｂ，６４ｃは、横断面の形状が矩形である。なお、複数の管６４ａ，６４ｂ，６４ｃの横断面の形状は、矩形の他に、円形、楕円形、多角形等、様々な形状が可能である。
複数の管６４ａ，６４ｂ，６４ｃは、操作入力部（否図示）に入力された入力信号に基づき動作する脚部６４内に配設された駆動手段によって、電動で上下に伸縮するように構成されている。
【００３８】
図６は、配線収容体１６の上部天板３１を下降位置Ｐ１に配置した状態を示す側面図である。図４、図６に示すように、左側の脚部６３および右側の脚部６４は、電動により上下に伸縮する。左側の脚部６３および右側の脚部６４が上下に伸縮することにより上部天板３１および配線支持部材３５を上下方向に移動させることができる。これにより、上部天板３１を下降位置Ｐ１と、上昇位置Ｐ２とに配置できる。
【００３９】
下降位置Ｐ１は、上部天板３１の上面３１ｅが第１の天板１１の上面１１ｄや、第２の天板１２の上面１２ｄに対して面一に配置される位置である。
ここで、面一とは、上部天板３１の上面３１ｅが第１、第２の天板１１，１２の上面１１ｄ，１２ｄに対して平坦に配置された状態に加えて、さらに、上面１１ｄ，１２ｄに対して、例えば上部天板３１板厚寸法程度の段差が生じた状態も含むものとする。
上昇位置Ｐ２は、上部天板３１と第１の天板１１との間や、上部天板３１と第２の天板１２との間に配線支持部材３５（具体的には、配線トレー４５）へのアクセス空間６８が形成される位置である。
【００４０】
このように、第１の天板１１および第２の天板１２間の配線挿通空間２３（図３も参照）に配線収容体１６を配設した。さらに、配線収容体１６の上部天板３１を上下位置変更手段３８で上下方向に移動可能とした。よって、上部天板３１を下降位置Ｐ１に配置することにより、上部天板３１の上面３１ｅを第１の天板１１の上面１１ｄや、第２の天板１２の上面１２ｄに対して面一位置に配置できる。これにより、第１の天板１１、第２の天板１２および上部天板３１の全域を、大きな天板として使用することができる。
例えば、図１に示すように、第３の天板１３、第４の天板１４および上部天板３１の全域を面一にでき、全域を大きな天板として使用することができる。よって、例えば、第４の天板１４および上部天板３１の全域に大きな資料用紙７１を広げることができる。
【００４１】
図４、図６に戻って、上部天板３１の上面３１ｅを第１の天板１１の上面１１ｄや、第２の天板１２の上面１２ｄに対して面一位置に配置することにより、デスク装置１の使用時における体裁を良好なものとすることができる。
一方、上部天板３１を上昇位置Ｐ２に配置することにより、上部天板３１と第１の天板１１との間や、上部天板３１と第２の天板１２との間に、配線支持部材３５の配線トレー４５へのアクセス空間６８（図２参照）を形成できる。
これにより、配線挿通作業を良好におこなうことができ、さらに、配線トレー４５に配置したテーブルタップ５１（図１参照）へのコンセント５３の抜き差しや、ＬＡＮポートへのＬＡＮケーブルの抜き差し等の作業性を良好にできる。
【００４２】
また、上部天板３１が下降位置Ｐ１に配置された状態において、上部天板３１と第１の天板１１との間に間隙部７２を形成可能とした。同様に、上部天板３１と第２の天板１２との間に間隙部７２を形成可能とした。
これにより、テーブルタップ５１に接続したコンセント５３のケーブル５４（図１参照）や、ＬＡＮポートに接続したＬＡＮケーブルのケーブルを、第１の天板１１の上面１１ｄ側や、第２の天板１２の上面１２ｄ側に間隙部７２を経て引き出すことができる。
【００４３】
さらに、上部天板３１を下降位置Ｐ１に配置する際に、上部天板３１と第１の天板１１との間や、上部天板３１と第２の天板１２との間に執務者１０（図１参照）の指がおかれることが考えられる。この場合においても、上部天板３１と第１の天板１１との間や、上部天板３１と第２の天板１２との間に配置された執務者１０の指を間隙部７２に逃がすことができる。これにより、執務者１０の指を保護でき、デスク装置１を使用する際の利便性を高めることができる。
【００４４】
また、上部天板３１の前辺部３１ａに前軟質部材３３が取り付けられ、上部天板３１の後辺部３１ｂに後軟質部材３４が取り付けられている。
これにより、上部天板３１を下降位置Ｐ１に配置した際に、上部天板３１の前辺部３１ａと第１の天板１１との間を前軟質部材３３で塞いだ状態に保つことができる。また、この状態において、前軟質部材３３を弾性変形させて上部天板３１の前辺部３１ａと第１の天板１１との間に間隙部７２を確保できる。
同様に、上部天板３１の後辺部３１ｂと第２の天板１２のとの間を後軟質部材３４で塞いだ状態に保つことができる。また、この状態において、後軟質部材３４を弾性変形させて上部天板３１の後辺部３１ｂと第２の天板１２との間に間隙部７２を確保できる。
さらに、間隙部７２を前軟質部材３３や後軟質部材３４で塞ぐことにより、第１の天板１１上や第２の天板１２上の物品が間隙部７２から配線挿通空間２３に落下することを防止できる。
【００４５】
また、前軟質部材３３や後軟質部材３４を弾性変形させることにより、間隙部７２を確保できる。これにより、配線トレー４５のテーブルタップ５１に接続したコンセントのケーブルや、ＬＡＮポートに接続したＬＡＮケーブルのケーブルを、第１の天板１１の上面１１ｄや第２の天板１２の上面１２ｄに引き出すことができる。
さらに、前軟質部材３３や後軟質部材３４を弾性変形させることにより、上部天板３１を下降位置Ｐ１に配置する際に、上部天板３１と第１の天板１１との間や、上部天板３１と第２の天板１２との間に配置された執務者１０（図１参照）の指を保護できる。これにより、デスク装置１を使用する際の利便性を高めることができる。
【００４６】
また、上部天板３１が上昇位置Ｐ２に配置された状態において、配線支持部材３５の配線トレー４５が第１の天板１１の上面１１ｄや第２の天板１２の上面１２ｄに対して面一をなす位置に配置される。
よって、配線トレー４５に配置したテーブルタップ５１やＬＡＮポート等を、執務者１０に一層近い位置に配置できる。これにより、配線挿通作業を一層良好におこなうことができ、さらに、配線トレー４５に配置したテーブルタップ５１へのコンセント５３（図１参照）の抜き差しや、ＬＡＮポートへのＬＡＮケーブルの抜き差し等の作業性を一層良好にできる。
【００４７】
以上、図面を参照して、本発明の実施形態を詳述してきたが、具体的な構成は、この実施形態に限らず、本発明の要旨を逸脱しない程度の設計的変更は、本発明に含まれる。
例えば、実施形態のデスク装置１では、上部天板３１の前辺部３１ａ、後辺部３１ｂに前後の軟質部材３３，３４を取り付ける例について説明したが、その他の例として第１〜第４の天板１１〜１４に軟質部材を設けてもよい。
【００４８】
また、実施形態では、上部天板３１に補強プレート３２を取り付ける例について説明したが、その他の例として補強プレート３２を上部天板３１に取り付けなくてもよい。これにより、デスク装置１の構成の簡素化を図ることができる。
さらに、一対のビーム７間に複数の連結部２１を左右方向に間隔をおいて配置する例について説明したが、これに限らない。その他の例として複数の連結部２１のうち中央の連結部２１を一対のビーム７間に取り付けなくてもよい。この場合、左右一対の配線支持部材３５，３６を一体に形成することが可能になる。
【００４９】
さらに、実施形態のその他の例として、配線収容体１６の上部天板３１を上昇位置Ｐ２に配置した状態において、配線トレー４５と天板１１との間や、配線トレー４５と天板１２との間に隙間が形成され、形成された隙間を軟質部材で閉塞するように構成することも可能である。これにより、配線トレー４５と天板１１との間や、配線トレー４５と天板１２との間に執務者の指や配線ケーブル等が挟まるのを防止することができる。
【符号の説明】
【００５０】
１      デスク装置
３      左側板（支持体）
３ａ    左側板の上部
４      右側板（支持体）
４ａ    右側板の上部
５      中央脚部（支持体）
５ａ    中央脚部の上部
１１，１２  第１、第２の天板（一対の天板）
１１ｄ，１２ｄ  第１、第２の天板の上面
１３，１４  第３、第４の天板（一対の天板）
１６    配線収容体
２３    配線挿通空間
３１    上部天板
３１ａ  上部天板の前辺部（縁部）
３１ｂ  上部天板の後辺部（縁部）
３３，３４  前後の軟質部材（軟質部材）
３５，３６  左右一対の配線支持部材（配線支持部材）
３８    上下位置変更手段
４５    配線トレー
４５ｃ  配線トレーの上面
６８    アクセス空間
７２    間隙部
Ｆ      床面
Ｐ１    下降位置
Ｐ２    上昇位置
【図１】
2019080609.tif 000003
【図２】
2019080609.tif 000004
【図３】
2019080609.tif 000005
【図４】
2019080609.tif 000006
【図５】
2019080609.tif 000007
【図６】
2019080609.tif 000008